(57)【特許請求の範囲】
【請求項１】
左右方向に延びる前後の本持桿と、
前後方向に並設された複数の係止溝を上面に有し、前記前後の本持桿の間に延びる本持元木と、
前記前本持桿に下端部が回動自在に支持された譜面台本体と、
この譜面台本体を前記本持元木に支持させるための鳥居と、を備え、
この鳥居は、
前記譜面台本体に上端部が回動自在に取り付けられた第１脚部と、前記第１脚部の下端部に上端部が回動自在に連結され、前記第１脚部の下端側に直線状に延びる展開位置と前記第１脚部に対して折りたたまれる折たたみ位置との間で回動可能な第２脚部と、をそれぞれ有する左右の脚と、
これら左右の脚の第２脚部の間に延びる横材と、を有し、
前記第２脚部が前記展開位置および前記折たたみ位置にあるときに、前記鳥居の下端部が前記本持元木の前記複数の係止溝の任意の１つに係止可能に構成されていることを特徴とするピアノの譜面台。
【請求項２】
前記第１脚部および前記第２脚部は、前記第２脚部が前記展開位置にあるときに互いに接することにより、前記第２脚部を前記第１脚部の延長線に対して前記折たたみ位置と反対側の角度位置に位置決めする端面を有することを特徴とする、請求項１に記載のピアノの譜面台。
【発明の詳細な説明】
【０００１】
【発明の属する技術分野】
本発明は、ピアノの譜面台に関し、特にグランドピアノなどに設けられるような、譜面台本体に取り付けた鳥居を本持元木の係止溝に係止させることにより譜面台本体を支持するタイプの譜面台に関する。
【０００２】
【従来の技術】
図５は、従来におけるこのタイプのグランドピアノの譜面台を示している。この譜面台５１は、左右の本持板２、２と、本持板２、２の間に固定された前後の本持桿３、４と、本持桿３、４の間に固定された左右の本持元木５、５とを備えており、各本持元木５の後部には、複数（この例では３個）の係止溝６が前後方向に並設して形成されている。また、譜面台５１は、譜面台本体７および鳥居５８を備えている。譜面台本体７は、その下端部が譜面台蝶番９を介して前本体桿３に回動自在に取り付けられている。鳥居５８は、逆門形のものであり、一端部が鳥居蝶番６０を介して譜面台本体７の裏面に回動自在に取り付けられた左右の脚６１、６１と、これらの脚６１、６１の他端部間に連結された横材６２とで構成されている。横材６２の左右端部には、フェルトなどから成るクッション６２ａが取り付けられている。
【０００３】
譜面台５１はさらに、左右の譜面台受金具６３、６３を備えている。各譜面台受金具６３は、支持具６４と、この支持具６４にピン（図示せず）を介して回動自在に取り付けられた受け具６５と、受け具６５の表面に取り付けられたクッション６６とで構成されている。支持具６４および受け具６５は鉄板などで作られており、クッション６６はフェルトなどで構成されている。そして、譜面台受金具６３は、支持具６４の部分で後本持桿４に固定されているとともに、受け具６５が、起立位置（図の実線）と倒伏位置（図の破線）の間で回動可能である。
【０００４】
以上の構成により、この譜面台５１では、図６（ａ）（ｂ）に示すように、鳥居５８の横材６２のクッション６２ａを取り付けた部分を本持元木５の係止溝６に係止させることによって、譜面台本体７が斜めの姿勢で支持されるとともに、係止させる係止溝６を変えることによって、譜面台本体７の角度Ａが調整される。譜面台本体７の角度Ａは、鳥居５８の係止横材６２を最前位置の係止溝６に係止させたときに最大（例えば約６５度）になり（同図（ａ））、最後位置の係止溝６に係止させたときに最小（例えば約５５度）になる（同図（ｂ））。
【０００５】
また、バイオリンなどの他の楽器とのアンサンブル演奏を行うような場合には、その演奏者が見えるよう、譜面台本体７をその角度Ａを上記よりもかなり小さくしてセットすること（以下「小角度設定」という）が好ましく、その場合に譜面台受金具６３が用いられる。すなわち、図６（ｃ）に示すように、譜面台受金具６３の受け具６５を起立位置に位置させるとともに、鳥居５８を折りたたんだ状態で譜面台本体７を後方に倒し、受け具６５に当接させることによって、譜面台本体７の角度Ａをかなり小さく（例えば約３０度）することができる。
【０００６】
【発明が解決しようとする課題】
しかし、この従来の譜面台５１では、上述したように、鳥居５８を係止する本持元木５の係止溝６を変えるだけでは、譜面台７の角度Ａを３段階でしか調整できず、その調整範囲が約５５〜６５度と狭いため、アンサンブル演奏などを行うときの小角度設定用に、左右の譜面台受金具６３、６３が別個に必要になる。このため、譜面台受金具６３の材料コストおよび組立コストが余分にかかるとともに、組み立てた譜面台受金具６３を本持桿４に取り付ける作業も必要になり、その分、製造コストが増大してしまう。
【０００７】
本発明は、このような課題を解決するためになされたものであり、部品点数の削減により製造コストを削減できるとともに、譜面台本体の小角度設定も行うことができるピアノの譜面台を提供することを目的としている。
【０００８】
【課題を解決するための手段】
この目的を達成するために、本発明のピアノの譜面台は、左右方向に延びる前後の本持桿と、前後方向に並設された複数の係止溝を上面に有し、前後の本持桿の間に延びる本持元木と、前本持桿に下端部が回動自在に支持された譜面台本体と、この譜面台本体を本持元木に支持させるための鳥居と、を備え、この鳥居は、譜面台本体に上端部が回動自在に取り付けられた第１脚部と、第１脚部の下端部に上端部が回動自在に連結され、第１脚部の下端側に直線状に延びる展開位置と第１脚部に対して折りたたまれる折たたみ位置との間で回動可能な第２脚部と、をそれぞれ有する左右の脚と、これら左右の脚の第２脚部の間に延びる横材と、を有し、第２脚部が展開位置および折たたみ位置にあるときに、鳥居の下端部が本持元木の複数の係止溝の任意の１つに係止可能に構成されていることを特徴としている。
【０００９】
このピアノの譜面台によれば、鳥居の左右の脚がそれぞれ、互いに回動自在の第１脚部および第２脚部に２分割構成されており、第２脚部は、第１脚部に対して、直線状に延びる展開位置と折りたたまれる折たたみ位置の、２位置をとることができる。また、第２脚部が展開位置および折たたみ位置のいずれに位置する場合でも、鳥居の下端部は、本持元木の複数の係止溝の任意の１つに係止可能である。したがって、譜面台本体の角度を、第２脚部の位置数（＝２）×係止溝数に等しい段階数で調整することができ、調整段階数を従来と比較して倍増することができる。
【００１０】
より具体的には、ピアノの独奏など通常の演奏を行う場合には、第２脚部を展開位置に位置させて脚を伸ばした状態で、鳥居の下端部を本持元木の１つの係止溝に選択的に係止させることによって、譜面台本体を、通常の使用角度でセットできるとともに（以下「通常角度設定」という）、係止溝数に等しい段階数で調整することができる。一方、アンサンブル演奏を行うような場合には、第２脚部を折たたみ位置に位置させて脚を縮めた状態で、鳥居の下端部を１つの係止溝に選択的に係止させることによって、譜面台本体の角度をかなり小さくすることができ、譜面台本体の小角度設定が可能になるとともに、譜面台本体の角度を、係止溝数に等しい段階数で調整することができる。
【００１１】
以上のように、本発明の譜面台では、鳥居の脚を２分割構成しただけの単純な構成で、譜面台本体の通常角度設定だけでなく小角度設定も可能になるので、このために従来設けられていた譜面台受金具はまったく不要になる。したがって、その材料コストおよび組立コストの削減によって、製造コストを削減することができる。
【００１２】
この場合、第１脚部および第２脚部は、第２脚部が展開位置にあるときに互いに接することにより、第２脚部を第１脚部の延長線に対して折たたみ位置と反対側の角度位置に位置決めする端面を有することが好ましい。
【００１３】
この構成によれば、第２脚部が展開位置にあるときに、第２脚部が折たたみ位置と反対側で第１脚部と角度をもった状態で、両脚部の端面同士が接し、押圧し合うので、展開位置にある第２脚部が折たたみ位置側に折れるのを防止でき、その姿勢を安定して保持することができる。
【００１４】
【発明の実施の形態】
以下、本発明の好ましい実施形態を、図面を参照しながら、詳細に説明する。図１は、本発明を適用したグランドピアノの譜面台を示している。なお、この譜面台１の構成要素のうち、すでに説明した従来の譜面台５１と同じ構成のものには、同じ符号が付されている。
【００１５】
この譜面台１は、従来の譜面台５１と同様、左右の本持板２、２と、本持板２、２の間に固定された前後の本持桿３、４と、本持桿３、４の間に固定された左右の本持元木５、５とを備えており、各本持元木５の後部には、複数（この例では３個）の係止溝６が前後方向に並設して形成されている。また、譜面台１は、譜面台５１と同様の譜面台本体７を備えており、譜面台本体７は、その下端部が３個の譜面台蝶番９を介して、前本体桿３の背面に回動自在に取り付けられている。
【００１６】
譜面台本体７の裏面には、これを本持元木５に支持させるための、本発明に係る鳥居８が取り付けられている。この鳥居８は、逆門形のものであり、左右の脚１１、１１と、これらの脚１１、１１間に連結された横材１２とによって構成されている。脚１１、１１間の間隔は、左右の本持元木５、５間の間隔とほぼ等しく設定されている。図２に示すように、各脚１１は、上側の第１脚部１１ａおよび下側の第２脚部１１ｂの２分割構成になっており、両者１１ａ、１１ｂの端部同士が蝶番１３を介して互いに回動自在に連結されている。また、第１脚部１１ａの上端部は、鳥居蝶番１０を介して譜面台本体７の裏面に回動自在に取り付けられ、左右の第２脚部１１ｂ、１１ｂ間に横材１２が連結されている。なお、これらの第１および第２脚部１１ａ、１１ｂおよび横材１２は、従来と同様、無垢の木質材で構成されている。また、蝶番１３は、第１および第２脚部１１ａ、１１ｂとの調和上、これらと同色とすることが好ましい。
【００１７】
以上の構成により、第２脚部１１ｂは、第１脚部１１ａに対してほぼ直線状に延びる展開位置（図４（ａ）参照）と、第１脚部１１ａに対して折りたたまれる折たたみ位置（同図（ｂ）参照）との間で回動可能である。図３に示すように、上記展開位置は、第１および第２脚部１１ａ、１１ｂの連結部の端面１１ｃ、１１ｄが互いに接することによって規制される。また、同図に示すように、これらの端面１１ｃ、１１ｄは、若干斜めに形成されており、それにより、第２脚部１１ｂが展開位置にあるときに、第２脚部１１ｂを第１脚部１１ａの延長線に対して折たたみ位置と反対側の角度位置に位置決めし、第１脚部１１ｂとの間に若干の角度をもたせた状態で保持するようになっている。また、これらの端面１１ｃ、１１ｄの周辺および第２脚部１１ｂの下端部には、フェルトや人工皮革などから成る、雑音および傷の防止用のクッション１４、１５が、それぞれ取り付けられている。
【００１８】
以上の構成の譜面台１は、次のようにして使用される。すなわち、ピアノの独奏など通常の演奏を行う場合には、図４（ａ）に示すように、第２脚部１１ｂを展開位置に位置させて脚１１を伸ばした状態で、左右の第２脚部１１ｂ、１１ｂの下端部を、左右の本持元木５、５の１つの係止溝６、６にそれぞれ係止させる。これにより、譜面台本体７が通常角度設定でセットされる。また、係止させる係止溝６を変えることによって、譜面台本体７の角度Ａを係止溝６の数に等しい３段階で調整できる。この場合の調整可能な角度範囲は、従来と同様、約５５〜６５度である。
【００１９】
また、この状態では、前述したように、第２脚部１１ｂが第１脚部１１ａの延長線に対して折たたみ位置と反対側に位置し、第１脚部１１ａとの間に若干の角度をもった状態で保持されているので、第２脚部１１ｂが折たたみ位置側に折れるのを防止でき、その姿勢を安定して保持することができる。さらに、第２脚部１１ｂを係止溝６に係止させる際、その下端部に取り付けたクッション１５を介して係止溝６に当接するので、そのときの雑音や傷の発生を防止することができる。
【００２０】
一方、アンサンブル演奏を行うような場合には、図４（ｂ）に示すように、第２脚部１１ｂおよびこれに連結された横材１２を折たたみ位置に位置させて脚１１を縮めた状態で、左右の第１脚部１１ａ、１１ａの下端部を、本持元木５、５の１つの係止溝６、６にそれぞれ係止させる。これにより、譜面台本体７が小角度設定でセットされる。また、係止溝６を変えることによって、譜面台本体７の角度Ａを３段階で調整できる。この場合の調整可能な角度範囲は、例えば、約２５〜３５度である。また、上記と同様、第１脚部１１ａを係止溝６に係止させる際の雑音や傷の発生は、クッション１４によって防止される。
【００２１】
以上のように、本実施形態の譜面台１によれば、鳥居８の各脚１１が第１および第２脚部１１ａ、１１ｂに２分割構成され、第２脚部１１ｂは、第１脚部１１ａに対して展開位置と折たたみ位置の２位置をとることができるとともに、これらのいずれの位置においても、本持元木５の複数の係止溝６の任意の１つに係止可能である。したがって、譜面台本体７の角度Ａを、第２脚部１１ｂの位置数（＝２）×係止溝６の数に等しい段階数で調整することができ、調整段階数を従来と比較して倍増することができる。そして、第２脚部１１ｂを展開位置に位置させた状態で、譜面台本体７の通常角度設定を行えるとともに、第２脚部１１ｂを折たたみ位置に位置させた状態で、譜面台本体７の小角度設定も行えるので、このために従来設けられていた譜面台受金具はまったく不要になる。したがって、その材料コストおよび組立コストの削減によって、製造コストを削減することができる。
【００２２】
なお、本発明は、説明した実施形態に限定されることなく、種々の態様で実施することができる。例えば、実施形態では、第２脚部１１ｂが展開位置および折たたみ位置にあるときに、それぞれ第２脚部１１ｂおよび第１脚部１１ａを本持元木５の係止溝６に係止させているが、横材１２の幅を第２脚部１１ｂと長さとほぼ同じにし、展開位置および折たたみ位置のいずれの位置においても横材１２を係止溝６に係止させてもよい。また、各本持元木５の係止溝６の数は、実施形態の３個に限らず、さらに増やしてよいことはもちろんである。
【００２３】
さらに、実施形態は、本発明をグランドピアノに適用した例であるが、本発明は、適当であれば、他のタイプのピアノ、例えばグランドピアノ型の電子ピアノにも適用することができる。その他、本発明の趣旨の範囲内で、細部の構成を適宜、変更することが可能である。
【００２４】
【発明の効果】
以上詳述したように、本発明のピアノの譜面台は、部品点数の削減により製造コストを削減できるとともに、譜面台本体の小角度設定も行うことができるなどの効果を有する。
【図面の簡単な説明】
【図１】本発明の一実施形態によるグランドピアノの譜面台の分解斜視図である。
【図２】譜面台の鳥居の部分拡大斜視図である。
【図３】第２脚部が展開位置にある状態の鳥居の脚の部分拡大側面図である。
【図４】譜面台の譜面台本体のセット状況を説明するための図である。
【図５】従来のグランドピアノの譜面台の分解斜視図である。
【図６】図５の譜面台の譜面台本体のセット状況を説明するための図である。
【符号の説明】
１    譜面台
３    前本持桿
４    後本持桿
５    本持元木
６    係止溝
７    譜面台本体
８    鳥居
１１    脚
１１ａ  第１脚部
１１ｂ  第２脚部
１１ｃ  第１脚部の端面
１１ｄ  第２脚部の端面
１２    横材
【図１】
0003565728.tif 000002
【図２】
0003565728.tif 000003
【図３】
0003565728.tif 000004
【図４】
0003565728.tif 000005
【図５】
0003565728.tif 000006
【図６】
0003565728.tif 000007